(57)【要約】【課題】注文の要求優先順位及び中間材の消化優先順位を直接的に評価して適切な紐付けを行うことができる鉄鋼製品の製造における中間材と注文との紐付け方法を提供する。【解決手段】要求優先順位にしたがって注文を順次選択し、当該注文に対して紐付け可能な中間材を消化優先順位にしたがって選択し、選択された中間材に対して注文の要求量を提示する初期注文要求工程Ｓ０３と、中間材に対する注文の要求量の合計が在庫量以下の場合に当該注文の要求量を仮紐付けし、要求量の合計が在庫量を超える場合に注文を拒絶する初期中間材紐付け工程Ｓ０４と、拒絶された注文について各中間材に対する要求量を修正する注文要求修正工程Ｓ０５と、修正された前記注文の要求量について仮紐付け又は拒絶を行う中間材紐付け修正工程Ｓ０６と、を有し、中間材と注文との紐付け量が最大となるまで注文要求修正工程Ｓ０５と中間材紐付け修正工程Ｓ０６とを繰り返し実施する。【選択図】図２
2012221218.tif 000002
【特許請求の範囲】
【請求項１】
鉄鋼製品の製造において複数の中間材と複数の注文とを紐付けする鉄鋼製品の製造における中間材と注文との紐付け方法であって、
各中間材と各注文との紐付けの可否を判断する紐付け可否判断工程と、
複数の前記注文の要求優先順位及び複数の前記中間材の消化優先順位をそれぞれ決定する優先順位設定工程と、
前記要求優先順位にしたがって前記注文を順次選択し、当該注文に対して紐付け可能な前記中間材を前記消化優先順位にしたがって選択し、選択された前記中間材に対して前記注文の要求量を提示し、これを全ての注文に対して実施する初期注文要求工程と、
前記中間材に対する前記注文の要求量の合計が前記中間材の在庫量以下である場合には、当該注文の要求量を当該中間材に仮紐付けし、前記中間材に対する前記注文の要求量の合計が当該中間材の在庫量を超える場合には、超える分について前記注文を拒絶し、これを全ての中間材に対して実施するとともに、未紐付けの前記中間材の在庫量を提示する初期中間材紐付け工程と、
拒絶された前記注文を前記要求優先順位にしたがって選択し、当該注文に対して紐付け可能な前記中間材を前記消化優先順位にしたがって再選択し、再選択された前記中間材に対する前記注文の要求量を提示し、これを全ての拒絶された注文に対して実施し、各中間材に対する要求量を修正する注文要求修正工程と、
修正された前記注文の要求量について、前記中間材に対する前記注文の要求量の合計が前記中間材の在庫量以下である場合には、当該注文の要求量を当該中間材に仮紐付けし、前記中間材に対する前記注文の要求量の合計が当該中間材の在庫量を超える場合には、超える分について前記注文を拒絶し、これを全ての中間材に対して実施するとともに、未紐付けの前記中間材の在庫量を提示する中間材紐付け修正工程と、
を有し、前記中間材と前記注文との紐付け量が最大となるまで、前記注文要求修正工程と前記中間材紐付け修正工程とを繰り返し実施することを特徴とする鉄鋼製品の製造における中間材と注文との紐付け方法。
【請求項２】
請求項１に記載の鉄鋼製品の製造における中間材と注文との紐付け方法の各工程をコンピュータに実行させることを特徴とするコンピュータプログラム。
【発明の詳細な説明】
【技術分野】
【０００１】
本発明は、鉄鋼製品の製造において複数の中間材と複数の製品の注文とを紐付けする鉄鋼製品の製造における中間材と注文との紐付け方法及びコンピュータプログラムに関するものである。
【背景技術】
【０００２】
鉄鋼製品の製造においては、各種組成の鋳片又は鋳片を一次加工した加工品を中間材として保管しており、各種製品の注文に対して要求特性を満足する中間材を紐付けし、紐付けされた中間材に対して２次加工を実施することで製品を製造している。ここで、中間材と注文との紐付けが適切に行われない場合には、中間材の在庫量が増加したり製品の納期が遅れたりするおそれがある。
【０００３】
そこで、例えば特許文献１には、複数の中間材と複数の製品の注文とを紐付けする方法が提案されている。
特許文献１に記載された紐付け方法は、中間材と注文との組み合わせにそれぞれ評価点を付して重み付けを行い、その評価点の合計が最大となる組み合わせを求め、この結果にしたがって中間材と注文との紐付けを行うものである。
【先行技術文献】
【特許文献】
【０００４】
【特許文献１】特開２００３−３３０５２８号公報
【発明の概要】
【発明が解決しようとする課題】
【０００５】
ところで、特許文献１に記載された紐付け方法においては、注文の要求優先順位及び中間材の消化優先順位等を総合的に判断して評価点を設定している。よって、注文の要求優先順位及び中間材の消化優先順位が、それぞれ適切に反映されているか否かを判断することができなかった。また、評価点の設定に不備があった場合には、紐付けの最適化を図ることができなくなるといった問題があった。
【０００６】
本発明は、前述した状況に鑑みてなされたものであって、鉄鋼製品の製造において複数の中間材と複数の製品の注文との紐付けを、注文の要求優先順位及び中間材の消化優先順位をそれぞれ直接的に評価して実施することが可能な鉄鋼製品の製造における中間材と注文との紐付け方法及びコンピュータプログラムを提供することを目的とする。
【課題を解決するための手段】
【０００７】
上記課題を解決するために、本発明に係る鉄鋼製品の製造における中間材と注文との紐付け方法は、鉄鋼製品の製造において複数の中間材と複数の注文とを紐付けする鉄鋼製品の製造における中間材と注文との紐付け方法であって、各中間材と各注文との紐付けの可否を判断する紐付け可否判断工程と、複数の前記注文の要求優先順位及び複数の前記中間材の消化優先順位をそれぞれ決定する優先順位設定工程と、前記要求優先順位にしたがって前記注文を順次選択し、当該注文に対して紐付け可能な前記中間材を前記消化優先順位にしたがって選択し、選択された前記中間材に対して前記注文の要求量を提示し、これを全ての注文に対して実施する初期注文要求工程と、前記中間材に対する前記注文の要求量の合計が前記中間材の在庫量以下である場合には、当該注文の要求量を当該中間材に仮紐付けし、前記中間材に対する前記注文の要求量の合計が当該中間材の在庫量を超える場合には、超える分について前記注文を拒絶し、これを全ての中間材に対して実施するとともに、未紐付けの前記中間材の在庫量を提示する初期中間材紐付け工程と、拒絶された前記注文を前記要求優先順位にしたがって選択し、当該注文に対して紐付け可能な前記中間材を前記消化優先順位にしたがって再選択し、再選択された前記中間材に対する前記注文の要求量を提示し、これを全ての拒絶された注文に対して実施し、各中間材に対する要求量を修正する注文要求修正工程と、修正された前記注文の要求量について、前記中間材に対する前記注文の要求量の合計が前記中間材の在庫量以下である場合には、当該注文の要求量を当該中間材に仮紐付けし、前記中間材に対する前記注文の要求量の合計が当該中間材の在庫量を超える場合には、超える分について前記注文を拒絶し、これを全ての中間材に対して実施するとともに、未紐付けの前記中間材の在庫量を提示する中間材紐付け修正工程と、を有し、前記中間材と前記注文との紐付け量が最大となるまで、前記注文要求修正工程と前記中間材紐付け修正工程とを繰り返し実施することを特徴としている。
【０００８】
この構成の鉄鋼製品の製造における中間材と注文との紐付け方法によれば、複数の注文の要求優先順位にしたがって注文を選択し、中間材の消化優先順位にしたがって選択された中間材に対して紐付けを要求する初期注文要求工程及び注文要求修正工程を備えているので、注文の要求優先順位及び中間材の消化優先順位をそれぞれ直接的に評価して紐付けを実施することができる。
また、初期中間材紐付け工程で拒絶された注文について各中間材に対する要求量を修正する注文要求修正工程と、この修正された要求量に対して紐付けを実施する中間材紐付け修正工程と、を、前記中間材と前記注文との紐付け量が最大となるまで繰り返し実施するので、紐付け量の最大化を図ることができる。これにより、中間材の在庫量を低減することが可能となる。
【０００９】
本発明のコンピュータプログラムは、上述の鉄鋼製品の製造における中間材と注文との紐付け方法の各工程をコンピュータに実行させることを特徴としている。
この構成のコンピュータプログラムによれば、上述の鉄鋼製品の製造における中間材と注文との紐付け方法の各工程をコンピュータで実行することにより、中間材と注文との紐付けを効率よく実施することができる。
【発明の効果】
【００１０】
本発明によれば、鉄鋼製品の製造において複数の中間材と複数の製品の注文との紐付けを、注文の要求優先順位及び中間材の消化優先順位をそれぞれ直接的に評価して実施することが可能な鉄鋼製品の製造における中間材と注文との紐付け方法及びコンピュータプログラムを提供することが可能となる。
【図面の簡単な説明】
【００１１】
【図１】本発明の一実施形態である鉄鋼製品の製造における中間材と注文との紐付け方法において紐付けされる中間材と注文を示す説明図である。
【図２】本発明の一実施形態である鉄鋼製品の製造における中間材と注文との紐付け方法のフロー図である。
【図３】紐付け可否判断工程によって設定された中間材と注文の紐付け可能な組み合わせを示す説明図である。
【図４】優先順位設定工程によって設定された中間材の消化優先順位リスト及び注文の要求優先順位リストである。
【図５】初期注文要求工程を示す説明図である。
【図６】初期中間材紐付け工程を示す説明図である。
【図７】注文要求修正工程（１回目）を示す説明図である。
【図８】中間材紐付け修正工程（１回目）を示す説明図である。
【図９】注文要求修正工程（２回目）を示す説明図である。
【図１０】中間材紐付け修正工程（２回目）を示す説明図である。
【図１１】注文要求修正工程（３回目）を示す説明図である。
【図１２】中間材紐付け修正工程（３回目）を示す説明図である。
【図１３】本発明の一実施形態である鉄鋼製品の製造における中間材と注文との紐付け方法のモデル図である。
【発明を実施するための形態】
【００１２】
以下に、本発明の一実施形態である鉄鋼製品の製造における中間材と注文との紐付け方法について、添付した図面を参照して説明する。
【００１３】
なお、本実施形態では、図１に示すように、３つの中間材（中間材Ａ，Ｂ，Ｃ）と３つの注文（注文１，２，３）について紐付けを実施する。
中間材Ａは、材料特性がｘ、在庫量が１５０ｔとされている。中間材Ｂは、材料特性がｙ、在庫量が１１０ｔとされている。中間材Ｃは、材料特性がｚ、在庫量が４０ｔとされている。
注文１は、要求特性がｘ又はｙ又はｚ、要求量が２００ｔとされている。注文２は、要求特性がｘ又はｚ、要求量が３０ｔとされている。注文３は、要求特性がｘ、要求量が７０ｔとされている。
【００１４】
本実施形態である鉄鋼製品の製造における中間材と注文との紐付け方法は、図２のフロー図に示すように、紐付け可否判断工程Ｓ０１と、優先順位設定工程Ｓ０２と、初期注文要求工程Ｓ０３と、初期中間材紐付け工程Ｓ０４と、注文要求修正工程Ｓ０５と、中間材紐付け修正工程Ｓ０６と、を備えている。なお、コンピュータプログラムによって、本実施形態である鉄鋼製品の製造における中間材と注文との紐付け方法の各工程はコンピュータ上で実施されることになる。
【００１５】
まず、紐付け可否判断工程Ｓ０１を実施する。この紐付け可否判断工程Ｓ０１では、各中間材と各注文との紐付けの可否を判断する。
本実施形態では、中間材の材料特性と注文の要求特性とを対比して、紐付けの可否を判断する。すると、図３に示すように、注文１については中間材Ａ，Ｂ，Ｃのいずれも紐付け可能である。注文２については中間材Ａ，Ｃに紐付け可能である。注文３については注中間材Ａのみが紐付け可能である。
【００１６】
次に、優先順位設定工程Ｓ０２を実施する。この優先順位設定工程Ｓ０２では、複数の注文の要求優先順位及び複数の中間材の消化優先順位をそれぞれ決定する。
本実施形態では、図４に示すように、中間材の製造日から、中間材の消化優先順位を、中間材Ａ＞中間材Ｂ＞中間材Ｃの順に決定した。また、製品の納期から、注文の要求優先順位を、注文１＞注文２＞注文３の順に決定した。
【００１７】
次に、初期注文要求工程Ｓ０３を実施する。この初期注文要求工程Ｓ０３では、設定された要求優先順位にしたがって注文を順次選択し、当該注文に対して紐付け可能な中間材を消化優先順位にしたがって選択し、選択された中間材に対して当該注文の要求量を提示していく。
本実施形態では、図５に示すように、まず、要求優先順位が最も高い注文１を選択し、この注文１に対して紐付け可能な中間材Ａ，Ｂ，Ｃから最も消化優先順位の高い中間材Ａを選択し、中間材Ａに対して注文１の要求量２００ｔを提示する。
次に、要求優先順位が次位の注文２を選択し、この注文２に対して紐付け可能な中間材Ａ、Ｃから最も消化優先順位の高い中間材Ａを選択し、中間材Ａに対して注文２の要求量３０ｔを提示する。
そして、要求優先順位が次々位の注文３を選択し、この注文３に対して紐付け可能な中間材Ａを選択し、中間材Ａに対して注文３の要求量７０ｔを提示する。
【００１８】
次に、初期中間材紐付け工程Ｓ０４を実施する。この初期中間材紐付け工程Ｓ０４では、中間材に対する注文の要求量の合計が当該中間材の在庫量以下である場合には、当該注文の要求量を当該中間材に仮紐付けし、中間材に対する注文の要求量の合計が当該中間材の在庫量を超える場合には、超える分について当該注文を拒絶する。また、未紐付けの中間材の在庫量を提示する。
本実施形態では、図６に示すように、中間材Ａに対する注文１，２，３の要求量の合計が３００ｔとなり、中間材Ａの在庫量１５０ｔを超えているので、優先順位が高い注文１の１５０ｔのみ仮紐付けし、注文１の残りの５０ｔ、注文２，３を拒絶する。
そして、未紐付けである中間材Ｂの在庫量１１０ｔ，中間材Ｃの在庫量４０ｔを提示する。
【００１９】
次に、注文要求修正工程Ｓ０５を実施する。この注文要求修正工程Ｓ０５では、拒絶された注文について要求優先順位にしたがって選択し、当該注文に対して紐付け可能な中間材を消化優先順位にしたがって再選択し、再選択された中間材に対する注文の要求量を提示し、各中間材に対する要求量を修正する。なお、複数の中間材に紐付け可能な注文においては、拒絶された中間材の次位の中間材に対して要求を行う。
本実施形態では、図７に示すように、拒絶された注文１、２、３のうち要求優先順位が最も高い注文１を選択し、この注文１に対して紐付け可能な中間材Ｂ，Ｃから最も消化優先順位の高い中間材Ｂに対して残りの５０ｔを提示する。
次に、要求優先順位が次位の注文２を選択し、この注文２に対して紐付け可能な中間材Ｃを選択し、中間材Ｃに対して注文２の要求量３０ｔを提示する。
そして、要求優先順位が次々位の注文３を選択し、この注文３に対して未紐付けの在庫は存在しないため、紐付け可能な中間材Ａを選択し、中間材Ａに対して注文３の要求量７０ｔを再提示する。
【００２０】
次に、中間材紐付け修正工程Ｓ０６を実施する。この中間材紐付け修正工程Ｓ０６においては、修正された注文の要求量について、中間材に対する注文の要求量の合計が当該中間材の在庫量以下である場合には、当該注文の要求量を当該中間材に仮紐付けし、中間材に対する前記注文の要求量の合計が当該中間材の在庫量を超える場合には、超える分について当該注文を拒絶する。
本実施形態では、図８に示すように、中間材Ａに対する注文１，３の要求量の合計が２２０ｔとなり、中間材Ａの在庫量１５０ｔを超えているので、再提示された注文３の要求量７０ｔを仮紐付けし、注文１のうち７０ｔ分の仮紐付けを解消する。
中間材Ｂに対する注文１の要求量の合計が５０ｔであって中間材Ｂの在庫量１１０ｔ以下であることから、注文１の要求量５０ｔを仮紐付けする。
中間材Ｃに対する注文２の要求量の合計が３０ｔであって中間材Ｃの在庫量４０ｔ以下であることから、注文２の要求量３０ｔを仮紐付けする。
そして、未紐付けである中間材Ｂの在庫量６０ｔ，中間材Ｃの在庫量１０ｔを提示する。
【００２１】
次に、再度、注文要求修正工程Ｓ０５を実施する。
図９に示すように、拒絶された注文１（残７０ｔ）を選択し、この注文１に対して紐付け可能な中間材Ｂ，Ｃから消化優先順位が次位である中間材Ｂに対して、さらに７０ｔ（合計１２０ｔ）を提示する。
要求優先順位が次位の注文２については、仮紐付けされているので、要求の修正は実施しない。
要求優先順位が次々位の注文３についても、仮紐付けされているので、要求の修正は実施しない。
【００２２】
次に、再度、中間材紐付け修正工程Ｓ０６を実施する。
図１０に示すように、中間材Ｂに対する注文１の要求量の合計が１２０ｔとなり、中間材Ｂの在庫量１１０ｔを超えているので、注文１（１２０ｔ）のうち１０ｔを拒絶する。すなわち、中間材Ｂの１１０ｔ全てが注文１に紐付けされたことになる。
そして、中間材Ｃの在庫量１０ｔを提示する。
【００２３】
次に、再度、注文要求修正工程Ｓ０５を実施する。
図１１に示すように、拒絶された注文１（残１０ｔ）を選択し、この注文１に対して紐付け可能な中間材Ｃに対して１０ｔを提示する。
要求優先順位が次位の注文２については、仮紐付けされているので、要求の修正は実施しない。
要求優先順位が次々位の注文３についても、仮紐付けされているので、要求の修正は実施しない。
【００２４】
次に、再度、中間材紐付け修正工程Ｓ０６を実施する。
図１２に示すように、中間材Ｃに対する注文１の要求量が１０ｔであって中間材Ｃの未紐付けの在庫量１０ｔ以下であることから、注文１の要求量１０ｔを中間材Ｃに紐付けする。
【００２５】
このように、注文要求修正工程Ｓ０５と中間材紐付け修正工程Ｓ０６とを繰り返し実施し、中間材Ａ，Ｂ，Ｃと注文１，２，３との紐付け量の最大化を図る。本実施形態では、図１２に示すように、中間材Ａ，Ｂ，Ｃの全ての在庫量及び注文１，２，３の全ての要求量について、紐付けされることになる。
【００２６】
なお、本実施形態である鉄鋼製品の製造における中間材と注文との紐付け方法は、図１３に示すように、中間材Ａ，Ｂ，Ｃと注文１，２，３を各節点とし、ソース（Ｓ）から注文１，２，３に向かう経路の容量を各注文の要求量とし、中間材Ａ，Ｂ，Ｃからシンク（Ｇ）に向かう経路の容量を各中間材の在庫量とし、紐付けの可否に応じて注文１，２，３と中間材Ａ，Ｂ，Ｃとの間に経路を設定し、注文の要求優先順位及び中間材の消化優先順位を考慮した最大フロー問題を、プリフロープッシュ法によって解くものである。
【００２７】
以上のような構成とされた本実施形態である鉄鋼製品の製造における中間材と注文との紐付け方法によれば、注文１，２，３の要求優先順位にしたがって注文を選択し、中間材Ａ、Ｂ、Ｃの消化優先順位にしたがって選択された中間材Ａ，Ｂ，Ｃに対して紐付けを要求する初期注文要求工程Ｓ０３及び注文要求修正工程Ｓ０５を備えているので、注文１，２，３の要求優先順位及び中間材Ａ，Ｂ，Ｃの消化優先順位をそれぞれ直接的に評価して紐付けを実施することができる。
【００２８】
また、拒絶された注文について中間材Ａ，Ｂ，Ｃに対する要求量を修正する注文要求修正工程Ｓ０５と、この修正された要求量に対して紐付けを実施する中間材紐付け修正工程Ｓ０６と、を、中間材Ａ，Ｂ，Ｃと注文１，２，３との紐付け量が最大となるまで繰り返し実施するので、紐付け量の最大化を図ることができ、中間材の在庫量を低減することが可能となる。
【００２９】
以上、本実施形態である鉄鋼製品の製造における中間材と注文との紐付け方法について説明したが、本発明はこれに限定されることはなく、その発明の技術的思想を逸脱しない範囲で適宜変更可能である。
例えば、３つの中間材と３つの注文との紐付けを行うものとして説明したが、これに限定されることはなく、中間材及び注文の数に制限はない。
また、３つの中間材の在庫量及び３つの注文の要求量の全てが紐付けされる例を挙げて説明したが、これに限定されることはなく、中間材の在庫量や注文の要求量の一部が未紐付けであってもよい。
【符号の説明】
【００３０】
Ｓ０１  紐付け可否判断工程
Ｓ０２  優先順位設定工程
Ｓ０３  初期注文要求工程
Ｓ０４  初期中間材紐付け工程
Ｓ０５  注文要求修正工程
Ｓ０６  中間材紐付け修正工程
【図１】
2012221218.tif 000003
【図２】
2012221218.tif 000004
【図３】
2012221218.tif 000005
【図４】
2012221218.tif 000006
【図５】
2012221218.tif 000007
【図６】
2012221218.tif 000008
【図７】
2012221218.tif 000009
【図８】
2012221218.tif 000010
【図９】
2012221218.tif 000011
【図１０】
2012221218.tif 000012
【図１１】
2012221218.tif 000013
【図１２】
2012221218.tif 000014
【図１３】
2012221218.tif 000015